(57)【要約】  【課題】一般的な缶、ＰＥＴの容器だけでなく、樽形状の缶容器を収納しても商品立ち、詰まりを起こさない構成の自動販売機の商品収納装置を提供する。  【解決手段】２１０ｍｍ以上２４０ｍｍ以下で左右に対向した側板２ａ、２ｂ間に形成された商品通路１において、最大通路調整幅の４５％以上５６％以下の幅に通路幅調整板５の調整位置を設けることにより、通路幅調整板５の方向に大きな力が発生しない通路幅の狭い位置に設定ができ、大きな商品が販売できる通路でも、樽形状の缶容器のように全長が３５０ｍｌの缶容器よりも短く、胴径も中央が大きく膨らんだ形状となった商品を販売しても、通路幅調整板５が広がらず、商品立ち、詰まりを起こさない。【選択図】図１
2006221397.tif 000002
【特許請求の範囲】
【請求項１】
缶やペットボトル等の商品を横倒しにして上下方向に積み上げ蛇行形状の商品通路内に収納し、前記商品通路の左右に形成した対向する側板と、前記側板間に商品の大きさによって前記商品通路の左右幅を可変できる通路幅調整板を有する自動販売機の商品収納装置において、前記側板は２１０ｍｍ以上２４０ｍｍ以下の間隔で対向し、前記通路幅調整板は前記側板間隔の４５％以上５６％以下の幅まで調整可能としたことを特徴とする自動販売機の商品収納装置。
【請求項２】
缶やペットボトル等の商品を横倒しにして上下方向に積み上げ蛇行形状の商品通路内に収納し、前記商品通路の左右に形成した対向する側板と、前記側板間に商品の大きさによって前記商品通路の左右幅を可変できる通路幅調整板を有する自動販売機の商品収納装置において、通路幅調整板の商品通路の反対側に片方の前記側板と平行リンク機構を形成するよう前記通路幅調整板に上下可動自在に設けられるリンク連結板と、前記リンク連結板の略上下端と前記側板間に架設される前記平行リンク機構を形成するリンク板を有し、前記リンク板は前記側板取り付け端を略Ｔ字形状板材で、前記略Ｔ字形状端の突出部を前記側板に設けた略半円の切欠き部に設置し、前記略半円の切欠き部内で前記突出部を軸として回動自在になるよう回動保持板を設けた構成としたことを特徴とする自動販売機の商品収納装置。
【請求項３】
リンク板の略Ｔ字形状端の突出部断面形状を略円形あるいは多角形としたことを特徴とする請求項２に記載の自動販売機の商品収納装置。
【請求項４】
リンク板の両端軸支部間にはしる両側端面と側板に設けた開口穴の左右に略鉛直に形成した略Ｌ曲げ部が略垂直に略密接しつつ動作するよう構成したことを特徴とする請求項２または請求項３に記載の自動販売機の商品収納装置。
【請求項５】
側板に設けた開口穴の左右に略鉛直に形成した略Ｌ曲げ部の略両横に前記側板と略平行な切起し部を設け、前記略平行な切起し部と前記側板間に回動保持板を差込み、前記側板と前記回動保持板を締結し固定した構成としたことを特徴とする請求項２から４のいずれか一項に記載の自動販売機の商品収納装置。
【請求項６】
側板に設けた開口穴の左右に略鉛直に形成した略Ｌ曲げ部の略両横に前記側板と略平行な切起し部と、略下方に穴を設け、前記略平行な切起し部と前記側板間に回動保持板を差込み、前記回動保持板に設けた突起あるいは切起しが前記穴に前記側板の通路側より嵌り固定されるよう構成したことを特徴とする請求項２から４のいずれか一項に記載の自動販売機の商品収納装置。
【請求項７】
商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板と、前記側板間に商品の大きさによって前記商品通路の幅を可変できる通路幅調整板と、前記通路幅調整板の前記商品通路の反対側に片方の前記側板と平行リンク機構を形成するよう前記通路幅調整板に上下可動自在に設けられるリンク連結板と、前記通路幅調整板の前記商品通路の反対側にリンク連結板を上下可動自在に覆い保持する上下動保持板を有し、前記上下動保持板は断面を前記通路幅調整板の反対側に前記通路幅調整板と略並行に中央を凸形状で、かつ、前記凸形状の略並行部中央を前記通路幅調整板側に凸となるよう略Ｖ曲げを設けた形状とし、前記通路幅調整板の上下略全長に渡り同断面で設け、凹部を前記通路幅調整板と密着したものとし、前記上下動保持板の前記略Ｖ曲げの先端と前記通路幅調整板間に略密接するように前記リンク連結板を設けた構成としたことを特徴とする自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路には、缶、瓶またはＰＥＴ容器などの商品が横になった状態で縦列に収納され、これらの商品は商品通路の下端に設けられた商品搬出装置によって、販売指令にもとづいて販売されるようになっている（例えば、特許文献１参照）。
【０００３】
図８は特許文献１に記載された従来の自動販売機の商品収納装置を示すものである。図８に示すように、商品の側面を水平にして商品を上下方向に収納する商品通路１と、商品通路１を形成する左右に対向する２つの側板２ａ、２ｂと、側板２ａ、２ｂ間に形成される商品通路１の下端に商品を１本ずつ払い出す商品搬出装置３と、側板２ａ、２ｂ間に形成される商品通路１の上端に商品を入れる商品投入口４と、商品側板２ａ、２ｂ間に配置され、側板２ａとの間で商品通路１の横幅を水平移動調整可能に設けられた通路幅調整板５と、通路幅調整板５と連結させて商品投入口４上に商品の大きさにより横幅を調整固定可能に設けた投入口幅調整部材６と、側板２ａ、２ｂ間に通路幅調整板５の上端の穴に通路幅調整板５が水平移動可能に貫通されたピン７と、通路幅調整板５に上端が軸支された上下２本の回動自在なリンク８ａ、８ｂと、リンク８ａ、８ｂの下端と上下端で軸支連結する側板２ｂの外面に沿って上下動自在に設けたリンク連結板９と、側板２ｂの外面にリンク連結板９を上下移動可能に収納保持するよう設けたカバー１０とからなり、側板２ｂと通路幅調整板５との間にリンク連結板９を存在させないで通路幅調整板５を薄くなるように構成されている。
【０００４】
以上のように構成された自動販売機の商品収納装置について、以下その動作を説明する。
【０００５】
まず、５００ｍｌのＰＥＴ容器のように大きな商品を収納する場合、投入口幅調整部材６を操作して側板２ｂ側に商品通路１の横幅を大きくするよう移動させるが、投入口幅調整部材６に連動される通路幅調整板５もピン７に案内され水平に側板２ｂ側へ移動する。この際、同時に通路幅調整板５の上下２箇所に上端が軸支されたリンク８ａ、８ｂが垂直になる方向に回動し、リンク８ａ、８ｂの下端と上下端が軸支連結されたリンク連結板９がカバー１０と側板２ｂの外面に沿って下方に移動することで通路幅調整板５がスムーズに移動できる。
【０００６】
また、３５０ｍｌの缶容器のように小さな商品を収納する場合、投入口幅調整部材６を操作して側板２ａ側に商品通路１の横幅を小さくするよう移動させるが、投入口幅調整部材６に連動される通路幅調整板５もピン７に案内され水平に側板２ａ側へ移動する。この際、同時に通路幅調整板５の上下２箇所に上端が軸支されたリンク８ａ、８ｂが水平になる方向に回動し、リンク８ａ、８ｂの下端と上下端が軸支連結されたリンク連結板９がカバー１０と側板２ｂの外面に沿って上方に移動することで通路幅調整板５がスムーズに移動できる。
【特許文献１】特開平８−８７６６６号公報
【発明の開示】
【発明が解決しようとする課題】
【０００７】
しかしながら、上記従来の構成では、５００ｍｌのＰＥＴ容器のような全長が大きい商品は商品投入口４から商品を投入して商品通路１に積み上げた後、商品搬出装置３により商品を１本ずつ払い出しても通路幅調整板５はすぐ裏に側板２ｂがあるため広がらない。３５０ｍｌの缶容器もまた全長は５００ｍｌのＰＥＴ容器より短いが商品が円柱形状なため、通路幅調整板５の方向に大きな力が加わらず通路幅調整板５は広がらない。だが、樽形状の缶容器は全長が３５０ｍｌの缶容器よりも短く、胴径も中央が大きく膨らんだ形状となっており、投入口幅調整部材６が多様の容器に対応するため固定位置がラフに設計されていることもあって、商品通路１に商品通路１の横方向に千鳥に積み上げられた後、商品搬出装置３により商品を１本ずつ払い出していくと、通路幅調整板５の方向に大きな力が発生し、かつ、全長が小さい商品の通路幅調整板５の設定位置ではリンク連結板９が可動域の上方に位置し、リンク連結板９の自重で通路幅調整板５を広げる方向に力を加え、さらに、通路幅調整板５を薄く構成したことにより強度が弱くたわみやすいため、通路幅調整板５が側板２ｂ側に広がり、何本か払い出し後の商品の投入で立ってしまうという課題を有していた。
【０００８】
本発明は、上記従来の課題を解決するもので、一般的な缶、ＰＥＴの容器だけでなく、樽形状の缶容器を収納しても商品立ち、詰まりを起こさない構成の自動販売機の商品収納装置を提供することを目的とする。
【課題を解決するための手段】
【０００９】
上記従来の課題を解決するために、本発明の請求項１に記載の自動販売機の商品収納装置は、缶やペットボトル等の商品を横倒しにして上下方向に積み上げ蛇行形状の商品通路内に収納し、前記商品通路の左右に形成した対向する側板と、前記側板間に商品の大きさによって前記商品通路の左右幅を可変できる通路幅調整板を有する自動販売機の商品収納装置において、前記側板は２１０ｍｍ以上２４０ｍｍ以下の間隔で対向し、前記通路幅調整板は前記側板間隔の４５％以上５６％以下の幅まで調整可能としたものである。
【００１０】
これによって、通路幅調整板の方向に大きな力が発生しない通路幅の狭い位置に設定ができ、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさない。
【００１１】
また、本発明の請求項２に記載の自動販売機の商品収納装置は、缶やペットボトル等の商品を横倒しにして上下方向に積み上げ蛇行形状の商品通路内に収納し、前記商品通路の左右に形成した対向する側板と、前記側板間に商品の大きさによって前記商品通路の左右幅を可変できる通路幅調整板を有する自動販売機の商品収納装置において、通路幅調整板の商品通路の反対側に片方の前記側板と平行リンク機構を形成するよう前記通路幅調整板に上下可動自在に設けられるリンク連結板と、前記リンク連結板の略上下端と前記側板間に架設される前記平行リンク機構を形成するリンク板を有し、前記リンク板は前記側板取り付け端を略Ｔ字形状板材で、前記略Ｔ字形状端の突出部を前記側板に設けた略半円の切欠き部に設置し、前記略半円の切欠き部内で前記突出部を軸として回動自在になるよう回動保持板を設けた構成としたものである。
【００１２】
これによって、リンク板の略Ｔ字形状端の両突出部と、側板のＬ曲げの先端に設けた略半円の切欠き部と、回動保持板で構成されるリンクの回動部のクリアランスを小さくすることができ、通路幅調整板の調整位置の広がりを軽減することにより、商品立ち、詰まりを起こさない。
【００１３】
また、本発明の請求項３に記載の自動販売機の商品収納装置は、請求項２に記載の発明において、リンク板の略Ｔ字形状端の両突出部断面形状を略円形あるいは多角形としたものである。
【００１４】
これによって、回動部のクリアランスがさらに、小さくでき、回動がスムーズになるため、通路幅調整板の調整位置の広がりを軽減し、かつ、操作も円滑にできる。
【００１５】
また、本発明の請求項４に記載の自動販売機の商品収納装置は、請求項２または請求項３に記載の発明において、リンク板の両端軸支部間にはしる両側端面と側板に設けた開口穴の左右に略鉛直に形成した略Ｌ曲げ部が略垂直に略密接しつつ動作するよう構成したものである。
【００１６】
これによって、リンク板の回動軸のスラスト方向に対するがたつきが小さくできるため、通路幅調整板の操作が円滑にできる。
【００１７】
また、本発明の請求項５に記載の自動販売機の商品収納装置は、請求項２から４に記載の発明において、側板に設けた開口穴の左右に略鉛直に形成した略Ｌ曲げ部の略両横に前記側板と略平行な切起し部を設け、前記略平行な切起し部と前記側板間に回動保持板を差込み、前記側板と前記回動保持板を締結し固定した構成としたものである。
【００１８】
これによって、回動部のラジアル方向に対するがたつきを小さくでき、構成も簡易なため、通路幅調整板の調整位置の広がりを軽減でき、かつ、回動保持板の取り付け作業も容易にできる。
【００１９】
また、本発明の請求項６に記載の自動販売機の商品収納装置は、請求項２から４に記載の発明において、側板に設けた開口穴の左右に略鉛直に形成した略Ｌ曲げ部の略両横に前記側板と略平行な切起し部と、略下方に穴を設け、前記略平行な切起し部と前記側板間に回動保持板を差込み、前記回動保持板に設けた突起あるいは切起しが前記穴に前記側板の通路側より嵌り固定されるよう構成したものである。
【００２０】
これによって、回動部のラジアル方向に対するがたつきを小さくでき、構成も簡易なため、通路幅調整板の調整位置の広がりを軽減でき、かつ、回動保持板の取り付け作業も容易にできる。
【００２１】
また、本発明の請求項７に記載の自動販売機の商品収納装置は、側板間に商品の大きさによって商品通路の幅を可変できる通路幅調整板と、前記通路幅調整板の前記商品通路の反対側に片方の前記側板と平行リンク機構を形成するよう前記通路幅調整板に上下可動自在に設けられるリンク連結板と、前記通路幅調整板の前記商品通路の反対側にリンク連結板を上下可動自在に覆い保持する上下動保持板を有し、前記上下動保持板は断面を前記通路幅調整板の反対側に前記通路幅調整板と略並行に中央を凸形状で、かつ、前記凸形状の略並行部中央を前記通路幅調整板側に凸となるよう略Ｖ曲げを設けた形状とし、前記通路幅調整板の上下略全長に渡り同断面で設け、凹部を前記通路幅調整板と密着したものとし、前記上下動保持板の前記略Ｖ曲げの先端と前記通路幅調整板間に略密接するように前記リンク連結板を設けた構成としたものである。
【００２２】
これによって、通路幅調整板の強度を大きく、リンク連結板の上下動作時のがたつきが小さくできることにより、通路幅調整板の調整位置の広がりを軽減でき、かつ、操作が円滑にできる。
【発明の効果】
【００２３】
本発明の請求項１から３、及び、５から７に記載の自動販売機の商品収納装置は、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさない。
【００２４】
また、本発明の請求項３、４、７に記載の自動販売機の商品収納装置は、商品の高さによって設定する通路幅調整板の操作が引っ掛かることなく円滑にできる。
【００２５】
また、本発明の請求項５、６に記載の自動販売機の商品収納装置は、回動保持板を側板に差込み後、締結または、引掛けるといった容易な取り付け作業でできるため、生産工数、コスト削減が図れる。
【発明を実施するための最良の形態】
【００２６】
請求項１に記載の発明は、缶やペットボトル等の商品を横倒しにして上下方向に積み上げ蛇行形状の商品通路内に収納し、前記商品通路の左右に形成した対向する側板と、前記側板間に商品の大きさによって前記商品通路の左右幅を可変できる通路幅調整板を有する自動販売機の商品収納装置において、前記側板は２１０ｍｍ以上２４０ｍｍ以下の間隔で対向し、前記通路幅調整板は前記側板間隔の４５％以上５６％以下の幅まで調整可能としたことにより、通路幅調整板の方向に大きな力が発生しない通路幅の狭い位置に設定ができ、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさない。
【００２７】
請求項２に記載の発明は、缶やペットボトル等の商品を横倒しにして上下方向に積み上げ蛇行形状の商品通路内に収納し、前記商品通路の左右に形成した対向する側板と、前記側板間に商品の大きさによって前記商品通路の左右幅を可変できる通路幅調整板を有する自動販売機の商品収納装置において、通路幅調整板の商品通路の反対側に片方の前記側板と平行リンク機構を形成するよう前記通路幅調整板に上下可動自在に設けられるリンク連結板と、前記リンク連結板の略上下端と前記側板間に架設される前記平行リンク機構を形成するリンク板を有し、前記リンク板は前記側板取り付け端を略Ｔ字形状板材で、前記略Ｔ字形状端の突出部を前記側板に設けた略半円の切欠き部に設置し、前記略半円の切欠き部内で前記突出部を軸として回動自在になるよう回動保持板を設けた構成としたことにより、リンク板の略Ｔ字形状端の突出部と、側板の略半円の切欠き部と、回動保持板で構成されるリンクの回動部のクリアランスを小さくすることができ、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさない。
【００２８】
請求項３に記載の発明は、リンク板の略Ｔ字形状端の両突出部断面形状を略円形あるいは多角形としたことにより、回動部のクリアランスがさらに、小さくでき、回動がスムーズになるため、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさず、かつ、通路幅調整板の操作が引っ掛かることなく円滑にできる。
【００２９】
請求項４に記載の発明は、リンク板の両端軸支部間にはしる両側端面と側板に設けた開口穴の左右に略鉛直に形成した略Ｌ曲げ部が略垂直に略密接しつつ動作するよう構成したことにより、リンク板の回動軸のスラスト方向に対するがたつきが小さくできるため、通路幅調整板の操作が引っ掛かることなく円滑にできる。
【００３０】
請求項５に記載の発明は、側板に設けた開口穴の左右に略鉛直に形成した略Ｌ曲げ部の略両横に前記側板と略平行な切起し部を設け、前記略平行な切起し部と前記側板間に回動保持板を差込み、前記側板と前記回動保持板を締結し固定した構成としたことにより、回動部のラジアル方向に対するがたつきを小さくでき、構成も簡易なため、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさず、かつ、回動保持板の取り付け作業も容易にできる。
【００３１】
請求項６に記載の発明は、側板に設けた開口穴の左右に略鉛直に形成した略Ｌ曲げ部の略両横に前記側板と略平行な切起し部と、略下方に穴を設け、前記略平行な切起し部と前記側板間に回動保持板を差込み、前記回動保持板に設けた突起あるいは切起しが前記穴に前記側板の通路側より嵌り固定されるよう構成したことにより、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさず、かつ、回動保持板の取り付け作業も容易にできる。
【００３２】
請求項７に記載の発明は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板と、前記側板間に商品の大きさによって前記商品通路の幅を可変できる通路幅調整板と、前記通路幅調整板の前記商品通路の反対側に片方の前記側板と平行リンク機構を形成するよう前記通路幅調整板に上下可動自在に設けられるリンク連結板と、前記通路幅調整板の前記商品通路の反対側にリンク連結板を上下可動自在に覆い保持する上下動保持板を有し、前記上下動保持板は断面を前記通路幅調整板の反対側に前記通路幅調整板と略並行に中央を凸形状で、かつ、前記凸形状の略並行部中央を前記通路幅調整板側に凸となるよう略Ｖ曲げを設けた形状とし、前記通路幅調整板の上下略全長に渡り同断面で設け、凹部を前記通路幅調整板と密着したものとし、前記上下動保持板の前記略Ｖ曲げの先端と前記通路幅調整板間に略密接するように前記リンク連結板を設けた構成としたことにより、通路幅調整板の強度を大きく、リンク連結板の上下動作時のがたつきが小さくできるため、大きな商品が販売できる通路でも、樽形状の缶容器のように全長が３５０ｍｌの缶容器よりも短く、胴径も中央が大きく膨らんだ形状となった商品を販売しても、通路幅調整板が広がらず、商品立ち、詰まりを起こさず、かつ、通路幅調整板の操作が引っ掛かることなく円滑にできる。
【００３３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３４】
（実施の形態１）
図１は、本発明の実施の形態１における自動販売機の商品収納装置の斜視図である。図２は、同実施の形態１における通路幅調整板の斜視図と斜視分解図である。図３は、同実施の形態１における通路幅調整板の要部断面図である。図４は、同実施の形態１における平行リンク機構部の要部斜視分解図である。図５は、同実施の形態１における樽形状の容器収納時の要部正面図である。図６は、同実施の形態１における取り付け部突起形状の回動保持板の斜視図である。図７は、同実施の形態１における取り付け部切起し形状の回動保持板の斜視図である。
【００３５】
図１、図２、図３、図４、図５、図６、図７において、商品収納装置１１は、側板２ａ、２ｂ間に上下方向に蛇行したサーペンタイン式の商品通路１を前後方向に複数列形成し、各商品通路１の下端には商品通路１を挟んで商品搬出装置３と通路規制板１２が設けられている。
【００３６】
商品通路１は、上端には商品を入れる商品投入口４と、側板２ａ、２ｂ間に配置され、側板２ａとの間で横幅を水平移動調整可能に設けられた通路幅調整板５と、商品投入口４上に通路幅調整板５と連結させて商品の大きさにより横幅を調整固定可能に設けた投入口幅調整部材６と、側板２ａ、２ｂ間に通路幅調整板５の上端の穴に通路幅調整板５が水平移動可能に貫通されたピン７が設けられている。
【００３７】
通路幅調整板５は、商品通路１の反対面に商品通路１の反対側に曲がった上下端に各２個の貫通穴１３を有するコの字曲げを設けたリンク連結板９と、リンク連結板９を上下端のコの字曲げが上下各２箇所に設けた角穴１４内を上下可動自在に通路幅調整板５との間に覆い保持する上下動保持板１５を有し、上下動保持板１５は断面を通路幅調整板５の反対側に通路幅調整板５と略並行に中央を凸形状で、かつ、凸形状の略並行部中央を通路幅調整板５側にリンク連結板９を通路幅調整板５間で略密接するように先端が凸となるよう略Ｖ曲げを設けた形状とし、通路幅調整板５の上下略全長に渡り同断面で設け、凹部を通路幅調整板５と密着して設けられる。
【００３８】
また、通路幅調整板５は側板２ｂと平行リンク機構を形成するように、上下２箇所でリンク板１６ａ、１６ｂで架設され、リンク板１６ａ、１６ｂの一方端は略Ｔ字形状となっており、リンク連結板９の上下２箇所のコの字曲げ間に２個の貫通穴１３内でリンク板１６ａ、１６ｂの略Ｔ字形状の両突出部が回動自在に設けられる。他方端も略Ｔ字形状となっており、側板２ｂに設けた開口穴１７の左右に略鉛直に形成した略Ｌ曲げ部１８の先端に設けた略半円の切欠き部１９と略Ｌ曲げ部１８の先端と略垂直に密接するよう設けた回動保持板２０内でリンク板１６ａ、１６ｂの略Ｔ字形状の断面形状が略円形となった両突出部が回動自在に設けられる。リンク板１６ａ、１６ｂの両端軸支部間にはしる両側端面は側板２ｂに設けた略Ｌ曲げ部１８と略垂直に略密接しつつ動作するよう構成される。
【００３９】
回動保持板２０は側板２ｂに設けた略Ｌ曲げ部１８の略両横に側板２ｂと略平行な切起し部２１と側板２ｂ間に差込まれ、側板２ｂの開口穴１７の下方に設けた穴２２で締結される。
【００４０】
以上のように構成された自動販売機の商品収納装置について、以下その動作を説明する。
【００４１】
まず、５００ｍｌのＰＥＴ容器のように大きな商品を収納する場合、投入口幅調整部材６を操作して側板２ｂ側に商品通路１の横幅を大きくするよう移動させ調整固定させるが、投入口幅調整部材６に連動される通路幅調整板５もピン７に案内され水平に側板２ｂ側へ移動する。この際、同時に側板２ｂの略半円の切欠き部１９と回動保持板２０内で下端が軸支されたリンク板１６ａ、１６ｂが垂直になる方向に回動し、リンク板１６ａ、１６ｂの上端と上下２箇所で軸支連結されたリンク連結板９が通路幅調整板５と上下動保持板１５に沿って、上方に移動することで通路幅調整板５がスムーズに移動する。
【００４２】
また、３５０ｍｌの缶容器のような小さな商品を収納する場合、投入口幅調整部材６を操作して側板２ａ側に商品通路１の横幅を小さくするよう移動させ調整固定させるが、投入口幅調整部材６に連動される通路幅調整板５もピン７に案内され水平に側板２ａ側へ移動する。この際、同時に側板２ｂの略半円の切欠き部１９と回動保持板２０内で下端が軸支されたリンク板１６ａ、１６ｂが水平になる方向に回動し、リンク板１６ａ、１６ｂの上端と上下２箇所で軸支連結されたリンク連結板９が通路幅調整板５と上下動保持板１５に沿って、下方に移動することで通路幅調整板５がスムーズに移動する。
【００４３】
そして、全長が３５０ｍｌの缶容器よりも短く、胴径も中央が大きく膨らんだ形状となっている樽形状の容器を収納する場合は、３５０ｍｌの缶容器よりもさらに投入口幅調整部材６を側板２ａ側に商品通路１の横幅を小さくするよう移動させ調整固定する。この際の調整固定位置は、樽形状の容器が側板２ａと通路幅調整板５間の横幅方向に最大に千鳥に積み上げられた時に、樽形状の容器各々の中央の大きく膨らんだ胴径部で必ず積み上がり、両端のテーパー部では積み上がらない位置とする。
【００４４】
以上のように本実施の形態においては、樽形状の容器の収納販売時、投入口幅調整部材６の調整固定位置を樽形状の容器が側板２ａと通路幅調整板５間の横幅方向に最大に千鳥に積み上げられた時に、樽形状の容器各々の中央の大きく膨らんだ胴径部で必ず積み上がり、両端のテーパー部では積み上がらない位置に設けたことにより、商品払い出し時でも通路幅調整板５の方向に大きな力が発生せず、大きな商品が販売できる通路でも、通路幅調整板５が広がらず、商品立ち、詰まりを起こさない。
【００４５】
また、本実施の形態では側板２ｂとリンク板１６ａ、１６ｂと回動保持板２０で形成される回動部を側板２ｂに設けた開口穴１７の左右に略鉛直に形成した略Ｌ曲げ部１８の先端に設けた略半円の切欠き部１９と略Ｌ曲げ部１８の先端と略垂直に密接するよう設けた回動保持板２０内でリンク板１６ａ、１６ｂの略Ｔ字形状の両突出部が回動自在に設けたことにより、回動部のクリアランスを小さくすることができ、通路幅調整板の調整位置の広がりを軽減することにより、商品立ち、詰まりを起こさない。
【００４６】
また、本実施の形態では側板２ｂとリンク板１６ａ、１６ｂと回動保持板２０で形成される回動部のリンク１６ａ、１６ｂの略Ｔ字形状の両突出部の断面形状を略円形としたことにより、回動部のクリアランスがさらに、小さくでき、回動がスムーズになるため、通路幅調整板５の調整位置の広がりを軽減し、かつ、操作も円滑にできる。
【００４７】
なお、側板２ｂとリンク板１６ａ、１６ｂと回動保持板２０で形成される回動部のリンク１６ａ、１６ｂの略Ｔ字形状の両突出部の断面形状を多角形とすることにより、回動部のクリアランスがさらに、小さくでき、回動がスムーズになるため、通路幅調整板５の調整位置の広がりを軽減し、かつ、操作も円滑にできる。
【００４８】
また、本実施の形態ではリンク板１６ａ、１６ｂの両端軸支部間にはしる両側端面が側板２ｂに設けた略Ｌ曲げ部１８と略垂直に略密接しつつ動作するよう構成することにより、側板２ｂとリンク板１６ａ、１６ｂの回動部のスラスト方向に対するがたつきが小さくできるため、通路幅調整板５の操作が円滑にできる。
【００４９】
また、本実施の形態では回動保持板２０が側板２ｂに設けた略Ｌ曲げ部１８の略両横の側板２ｂと略平行な切起し部２１と側板２ｂ間に差込まれ、側板２ｂの開口穴１７の下方に設けた穴２２で締結されることにより、回動部のラジアル方向に対するがたつきを小さくでき、構成も簡易なため、通路幅調整板５の調整位置の広がりを軽減でき、かつ、回動保持板２０の取り付け作業も容易にできる。
【００５０】
なお、図６、図７のように回動保持板２０を回動保持板２０が側板２ｂに設けた略Ｌ曲げ部１８の略両横の側板２ｂと略平行な切起し部２１と側板２ｂ間に差込まれ、側板２ｂの開口穴１７の下方に設けた穴２２に回動保持板２０に設けた突起あるいは切起しが側板２ｂの通路側から嵌り固定する形状としたことにより、回動部のラジアル方向に対するがたつきを小さくでき、構成も簡易なため、通路幅調整板５の調整位置の広がりを軽減でき、かつ、回動保持板２０の取り付け作業も容易にできる。
【００５１】
また、本実施の形態において、上下動保持板１５が断面を通路幅調整板５の反対側に通路幅調整板５と略並行に中央を凸形状で、かつ、凸形状の略並行部中央を通路幅調整板５側にリンク連結板９を通路幅調整板５間で略密接するように先端が凸となるよう略Ｖ曲げを設けた形状とし、通路幅調整板５の上下略全長に渡り同断面で設け、凹部を通路幅調整板５と密着して設けられることにより、通路幅調整板５の強度を大きく、リンク連結板９の上下動作時のがたつきが小さくできることにより、通路幅調整板５の調整位置の広がりを軽減でき、かつ、操作が円滑にできる。
【００５２】
なお、本実施の形態において、樽形状の容器のような小さな商品の収納時、通路幅調整板５と上下動保持板１５間で上下動するリンク連結板９が可動域の下方に位置する構成としたことにより、リンク板の自重による通路幅調整板５の設定位置の広がりはなくなる。
【産業上の利用可能性】
【００５３】
以上のように、本発明にかかる自動販売機の商品収納装置は、大きな商品が販売できる通路でも、通路幅調整板が広がらず、商品立ち、詰まりを起こさないので、自動販売機に関わらず商品の搬出通路を伴う装置に適用できる。
【図面の簡単な説明】
【００５４】
【図１】本発明の実施の形態１における自動販売機の商品収納装置の斜視図
【図２】同実施の形態１における通路幅調整板の斜視図と斜視分解図
【図３】同実施の形態１における通路幅調整板の要部断面図
【図４】同実施の形態１における平行リンク機構部の要部斜視分解図
【図５】同実施の形態１における樽形状の容器収納時の要部正面図
【図６】同実施の形態１における取り付け部突起形状の回動保持板の斜視図
【図７】同実施の形態１における取り付け部切起し形状の回動保持板の斜視図
【図８】従来の自動販売機の商品収納装置の要部正面図
【符号の説明】
【００５５】
１    商品通路
２ａ、２ｂ  側板
３    商品搬出装置
４    商品投入口
５    通路幅調整板
６    投入口幅調整部材
７    ピン
９    リンク連結板
１１  商品収納装置
１２  通路規制板
１３  貫通穴
１４  角穴
１５  上下動保持板
１６ａ、１６ｂ  リンク板
１７  開口穴
１８  略Ｌ曲げ部
１９  略半円の切欠き部
２０  回動保持板
２１  略平行な切起し部
２２  穴
【図１】
2006221397.tif 000003
【図２】
2006221397.tif 000004
【図３】
2006221397.tif 000005
【図４】
2006221397.tif 000006
【図５】
2006221397.tif 000007
【図６】
2006221397.tif 000008
【図７】
2006221397.tif 000009
【図８】
2006221397.tif 000010